(57)【要約】【課題】本発明はサンキャップに関するものであって、バンド及びバイザー（ＶＩＳＯＲ）を連結し、これらの間の角度を調整するギャップサイド連結装置を提供するためのものである。【解決手段】本発明の角度調整機能をするギャップサイド連結装置を有するサンキャップは、バンド部、上記バンド部に付着されるものであって、上記バンド部の上で回転可能なバイザー部、及び上記バンド部と上記バイザー部とを連結するギャップサイド連結装置を含み、ギャップサイド連結装置は内側連結装置と外側連結装置とを備え、本発明のギャップサイド連結装置によりバンド部と連結されるバイザー部（つば部）の調整が可能であり、調整される角度で正確に固定できる効果がある。【選択図】図６
2015030962.tif 000002
【特許請求の範囲】
【請求項１】
バンド部１０と、
前記バンド部に付着されるものであって、前記バンド部の上で回転可能なバイザー部４０と、
前記バンド部１０と前記バイザー部４０とを連結するギャップサイド連結装置６０と、を含み、
前記ギャップサイド連結装置６０は、挿入溝２４、２４’を含む内側連結装置２０と固定突起５４、５４’を含む外側連結装置５０とを備え、
前記外側連結装置５０はバイザー部４０と一体形成され、前記内側連結装置２０はバンド部１０と一体形成され、
前記外側連結装置５０は前記内側連結装置２０と組み立てられて、前記外側連結装置は前記内側連結装置の上で回動され、また固定されることによって、前記バイザー部は前記バンド部の上で回動され、また固定されることを特徴をする、角度調整機能をするギャップサイド連結装置を有するサンキャップ。
【請求項２】
前記内側連結装置２０は、固定溝２７、２７’を備える掛け金固定部２６、２６’を含むことを特徴をする、請求項１に記載の角度調整機能をするギャップサイド連結装置を有するサンキャップ。
【請求項３】
前記内側連結装置２０は固定掛け金３０を含み、前記固定掛け金の両端３２、３２’は前記掛け金固定部２６、２６’の固定溝２７、２７’に固定されることを特徴をする、請求項１に記載の角度調整機能をするギャップサイド連結装置を有するサンキャップ。
【請求項４】
前記内側連結装置２０の固定掛け金３０はＭ字型のリップスプリングからなる掛け金であることを特徴をする、請求項３に記載の角度調整機能をするギャップサイド連結装置を有するサンキャップ。
【請求項５】
前記外側連結装置５０の固定突起５４、５４’は、前記内側連結装置２０の挿入溝２４、２４’に挿入されて回転されて、前記外側連結装置が前記内側連結装置の上で回動されるようになることによって、前記バイザー部が前記バンド部の上で回動されるようになることを特徴をする、請求項１に記載の角度調整機能をするギャップサイド連結装置を有するサンキャップ。
【請求項６】
前記外側連結装置５０は円形となり、その円形の内部枠に歯形固定部５２が形成されており、前記バイザー部４０の回転時、前記歯形固定部５２は前記固定掛け金３０の上で回転し、バイザー部４０の停止時、固定掛け金３０は前記歯形固定部５２の歯と歯との間に固定されることを特徴をする、請求項３に記載の角度調整機能をするギャップサイド連結装置を有するサンキャップ。
【請求項７】
前記バイザー部４０の外部連結装置５０の内側に形成されたホール１  ５６及びホール２  ５８と結合されるギャップサイド連結装置カバー８０の内側に形成された突起１  ８２及び突起２  ８４をさらに含むことを特徴をする、請求項１に記載の角度調整機能をするギャップサイド連結装置を有するサンキャップ。
【請求項８】
前記バイザー部４０と前記外側連結装置５０とが一体形成され、前記バンド部１０と前記内側連結装置２０とが一体形成されるために使われる材料として、ポリカーボネートを使用することを特徴をする、請求項１に記載の角度調整機能をするギャップサイド連結装置を有するサンキャップ。
【請求項９】
前記バンド部１０の内側にスポンジが内蔵されて布で被覆される内面部１４がさらに付着されることを特徴をする、請求項１に記載の角度調整機能をするギャップサイド連結装置を有するサンキャップ。
【請求項１０】
前記バイザー部４０の色は、透明またはいろいろ色のうち、１つを選択することができることを特徴をする、請求項１に記載の角度調整機能をするギャップサイド連結装置を有するサンキャップ。
【請求項１１】
前記バンド部１０の内面部１４の付着時、作業を迅速、便利、正確にし、美感を与えるためにＶ溝１２をさらに形成することを特徴をする、請求項９に記載の角度調整機能をするギャップサイド連結装置を有するサンキャップ。
【発明の詳細な説明】
【技術分野】
【０００１】
本発明はサンキャップに関し、より詳しくは、バンド及びバイザー（ＶＩＳＯＲ）を連結し、これらの間の角度を調整するギャップサイド連結装置に関する。
【背景技術】
【０００２】
従来技術のサンキャップは、バンド部とつば部（バイザー部）が固定される形態と、バンド部と連結されているつば部が角度調整可能な形態がある。前者の例は、本出願人の特許として、‘グラデーションつばが備えられたサンキャップ’（特許登録第１０−１１８１７２０号）を挙げることができ、その要旨は‘着用者の額から外側に行くほど薄い色にグラデーションされるようにコーティングされたつばと、上記つばに一体形成されて着用者の額に固定される頭支持台と、上記頭支持台の両端にヒンジ固定されて折畳されるように連結される固定脚と、上記頭支持台と固定脚とを連結するためのヒンジ手段からなることによって、つばの材質がめがねの材質と同一であるので堅くて、着用者の額から外側に行くほど薄い色にグラデーションされるようにコーティングされて視野を確保しながらも紫外線を効果的に遮断し、つばの材質がめがねと同一な材質からなっているので堅固性を向上させることができる効果がある。’とするが、この発明はバンド部とつば部が固定されているものであって、日光が強い場合につば部の角度を調整することができないので、目を保護することができないという問題がある。
【０００３】
また、後者の例としては、‘サンキャップ’（実用新案登録第２０−０４２６４２４）を挙げることができ、その要旨は‘サンキャップのつばが使用者の顔を遮った時、視野部分と対応する部分にはポリカーボネートフィルムの透明つば部が配置されるようにし、残りの部分には透明つば部より厚さの浅い不透明つば部が少なくとも一切れ以上配置されるようにして、上記透明つば部と不透明つば部とを返し縫いにより互いに連結して１つのつばを形成するようにしたことを特徴とする。’とするが、この発明はヒンジ軸を中心に透明つば部の角度調整が可能であるが、透明つば部を固定させることができないので、時間が経るにつれて透明つば部がずり落ちる問題がある。
【先行技術文献】
【特許文献】
【０００４】
【特許文献１】韓国登録特許公報第１０−１１８１７２０号
【特許文献２】韓国登録実用新案公報第２０−０４２６４２４号
【発明の概要】
【発明が解決しようとする課題】
【０００５】
本発明は、このような従来の諸問題を解消するために案出したものであって、バンド部と連結されるバイザー部（つば部）の調整が可能であり、調整される角度で正確に固定できるようにバイザー部とバンド部を調整及び固定するギャップサイド連結装置を創案したものである。ギャップサイド連結装置は、外側連結装置と内側連結装置とから構成されている。
【課題を解決するための手段】
【０００６】
上記のような問題点を解決するための手段として、本発明の角度調整機能をするギャップサイド連結装置は、バンド部、上記バンド部に付着されるものであって、上記バンド部の上で回転可能なバイザー部、及び上記バンド部と上記バイザー部とを連結するギャップサイド連結装置を含み、上記ギャップサイド連結装置は挿入溝を含む内側連結装置と固定突起を含む外側連結装置とを備え、上記外側連結装置はバイザー部と一体形成され、上記内側連結装置はバンド部と一体形成され、上記外側連結装置は上記内側連結装置と組み立てられて、上記外側連結装置は上記内側連結装置の上で回動され、また固定されることによって、上記バイザー部は上記バンド部の上で回動され、また固定されることを特徴とする。
【０００７】
上記内側連結装置は、固定溝を備える掛け金固定部を含む。また、上記内側連結装置は固定掛け金を含み、上記固定掛け金の両端は上記掛け金固定部の固定溝に固定される。
【０００８】
また、上記内側連結装置の固定掛け金はＭ字型のリップスプリングからなる掛け金である。
【０００９】
上記外側連結装置の固定突起は上記内側連結装置の挿入溝に挿入されて回転されることによって、上記外側連結装置が上記内側連結装置の上で回動されるようになることによって、上記バイザー部が上記バンド部の上で回動されるようになる。
【００１０】
また、上記外側連結装置は円形となり、その円形の内部枠に歯形固定部が形成されており、上記バイザー部の回転時、上記歯形固定部は上記固定掛け金の上で回転し、バイザー部の停止時、固定掛け金は上記歯形固定部の歯と歯との間に固定される。
【００１１】
また、上記バイザー部の外部連結装置の内側に形成されたホール１及びホール２と結合されるギャップサイド連結装置カバーの内側に形成された突起１及び突起２をさらに含む。
【００１２】
また、上記バンド部の内側にスポンジが内蔵されて布で被覆される内面部がさらに付着されるものである。
【００１３】
また、上記バイザー部の色は、透明またはいろいろ色のうち、１つを選択することができる。また、上記バンド部の内面部の付着時の作業を迅速、便利、正確にし、美感を与えるためにＶ溝をさらに形成することができる。
【発明の効果】
【００１４】
以上、説明したように、本発明の角度調整機能をするギャップサイド連結装置を有するサンキャップは、バンド部、上記バンド部に付着されるものであって、上記バンド部の上で回転可能なバイザー部、及び上記バンド部と上記バイザー部とを連結するギャップサイド連結装置を含み、ギャップサイド連結装置は内側連結装置と外側連結装置とを備え、本発明のギャップサイド連結装置によりバンド部と連結されるバイザー部（つば部）の調整が可能であり、調整される角度で正確に固定される効果がある。
【図面の簡単な説明】
【００１５】
【図１】本発明の斜視図である。
【図２】本発明のギャップサイド連結装置の分解図である。
【図３】本発明の内側連結装置の図である。
【図４】本発明の固定掛け金の図である。
【図５】本発明の外側連結装置の図である。
【図６】本発明のギャップサイド連結装置が組み立てられた断面図である。
【図７】本発明のギャップサイド連結装置カバーの図である。
【図８】本発明の動作図である。
【発明を実施するための形態】
【００１６】
本発明は角度調整機能をするギャップサイド連結装置を有するサンキャップであって、本発明は、バンド部１０、上記バンド部に付着されるものであって、上記バンド部の上で回転可能なバイザー部４０、及び上記バンド部１０と上記バイザー部４０とを連結するギャップサイド連結装置６０を含み、上記ギャップサイド連結装置６０は、挿入溝２４、２４’を含む内側連結装置２０と固定突起５４、５４’を含む外側連結装置５０とを備え、上記外側連結装置５０はバイザー部４０と一体形成され、上記内側連結装置２０はバンド部１０と一体形成され、上記外側連結装置５０は上記内側連結装置２０と組み立てられて、上記外側連結装置（バイザー部）は上記内側連結装置（バンド部）の上で回動され、また固定されることを特徴とするものである。
【００１７】
以下、本発明の角度調整機能を有するサンキャップの実施形態を添付した図面を参照して詳細に説明する。
【００１８】
図１は、本発明の斜視図である。本発明１００の斜視図のように、本発明は頭に固定されるバンド部１０、日光（紫外線）を遮断するバイザー部（ＶＩＳＯＲ）４０、及びバンド部１０とバイザー部４０とを連結し、調整するギャップサイド連結装置６０から構成されている。
【００１９】
図１のＡはギャップサイド連結装置６０を表示する。
【００２０】
バンド部１０の内側にスポンジが内蔵されて布で被覆される内面部１４がさらに付着できる。バイザー部４０の色は、透明またはいろいろな色うち、１つを選択することができる。
【００２１】
バンド部１０の内面部１４の付着時、作業を迅速、便利、正確にし、美感を与えるためにＶ溝１２をさらに形成することができる。
【００２２】
図２は、本発明のギャップサイド連結装置の分解図である。本発明の構成は、バンド部１０、バイザー部（ＶＩＳＯＲ）４０、及びギャップサイド連結装置６０である。
【００２３】
本発明のギャップサイド連結装置の分解図のように、上記ギャップサイド連結装置６０は内側連結装置２０と外側連結装置５０とを備え、内側連結装置２０は掛け金固定部３０を含んでいる。
【００２４】
外側連結装置５０はバイザー部４０と一体形成され、上記内側連結装置２０はバンド部１０と一体形成される。
【００２５】
バイザー部４０と外側連結装置５０とが一体形成され、上記バンド部１０と内側連結装置２０とが一体形成されることは、本発明の最も重要な特徴の１つである。
【００２６】
バイザー部４０と外側連結装置５０とが一体形成され、上記バンド部１０と内側連結装置２０とが一体形成されることによって、バイザー部とバンド部とを連結する連結装置が不要になる。
【００２７】
このように、連結装置をバイザー部の一部またはバンド部の一部として形成することによって、製造工程が簡単になり、迅速で、経済的であるだけでなく、製品の薄型（Ｓｌｉｍ）化が可能になる。
【００２８】
しかしながら、上記のように製品を一体化に製造するためには、強度の高い材料を使用することが重要である。
【００２９】
本発明の材料としては、ポリカーボネート（ｐｏｌｙｃａｒｂｏｎａｔｅ）が使われる。
【００３０】
ポリカーボネートは強化ガラスの１５０倍以上の衝撃度に耐えることができ、耐衝撃性、耐熱性、柔軟性、加工性に優れる。
【００３１】
図３は、本発明の内側連結装置の図である。
【００３２】
内側連結装置２０は、バンド部１０と一体形成されている。
【００３３】
内側連結装置２０は、内側に挿入溝２４、２４’及び内壁２８、２８’が形成されている円形部２９、円形部の外側に固定溝２７、２７’が形成されている掛け金固定部２６、２６’、そして支え台２１及びストッパー（ｓｔｏｐｐｅｒ）２２から構成されている。
【００３４】
支え台２１は、掛け金固定部３０と歯形固定部５２とを確実に噛み合うようにするために掛け金固定部３０を下から支えるものである。ストッパー２２は、内側連結装置の上で外側連結装置の回動時、どの限界（ギャップサイド連結装置カバー（図７の突起２に着く時））まで回動するようにするためのものである（図３及び図６参照）。
【００３５】
図４は、本発明の固定掛け金の図である。
【００３６】
内側連結装置２０は固定掛け金３０を含み、固定掛け金３０はＭ字型の金属物であって、金属物はリップスプリング（ｌｉｐ  ｓｐｒｉｎｇ）が使用できる。上記固定掛け金の両端３２、３２’は、上記掛け金固定部２６、２６’の固定溝２７、２７’に固定されるものである。
【００３７】
図５は、本発明の外側連結装置の図である。
【００３８】
外側連結装置５０は、バイザー部４０と一体形成される。
【００３９】
外側連結装置５０は円形となっており、その内側に、歯形固定部５２、固定突起５４、５４’、ホール１  ５６、及びホール２  ５８が形成されている。
【００４０】
外側連結装置５０は上記内側連結装置２０と組み立てられ、上記外側連結装置（バイザー部）は上記内側連結装置（バンド部）の上で回動され、また固定されるものである。
【００４１】
したがって、バイザー部はバンド部の上で回動され、また固定されるものである。
【００４２】
外側連結装置５０の固定突起５４、５４’は、内側連結装置２０の挿入溝２４、２４’に挿入されて回転されることによって、上記外側連結装置（バイザー部）が上記内側連結装置（バンド部）の上で回動されるものである。したがって、バイザー部がバンド部の上で回動されるものである。
【００４３】
外側連結装置５０は円形となり、その円形の内部枠に歯形固定部５２が形成されており、バイザー部４０の回転時、上記歯形固定部５２は上記固定掛け金３０の上で回転し、バイザー部４０の停止時、固定掛け金３０の頂部３４、３４’は上記歯形固定部５２の歯と歯との間に固定されるものである。
【００４４】
固定掛け金３０はＭ字型の金属物であって、金属物はリップスプリング（ｌｉｐ  ｓｐｒｉｎｇ）が使用できる。バイザー部４０の回転時はリップスプリングが収縮し、バイザー部４０の停止時は膨脹するリップスプリングの弾性力を用いてバンド部１０の上でバイザー部４０が回転し、固定される機能を行うようになる。即ち、バイザー部４０がバンド部１０の上でバイザー部４０が回転し、固定される機能を行うようになる。
【００４５】
図６は、本発明のギャップサイド連結装置が組み立てられた断面図である。
【００４６】
図６の断面図のように、外側連結装置５０が内側連結装置２０に組み立てられた状態で固定掛け金３０は歯形固定部５２に噛み合っており、外側にギャップサイド連結装置カバー８０がある。
【００４７】
図７は、本発明のギャップサイド連結装置カバーの図である。本発明のギャップサイド連結装置カバーは、内側に突起１８２及び突起２８４が形成されている。
【００４８】
突起１８２及び突起２８４は、バイザー部４０の外部連結装置５０の内側に形成されたホール１  ５６及びホール２  ５８と結合されるものである。
【００４９】
図８は、本発明の動作図である。
【００５０】
バンド部１０と水平状態にいたバイザー部４０が下方に力が加えられた場合、外側連結装置５０が内側連結装置２０の上で回転する（上の図面）ことによって、バイザー部４０が図８のように回転（下の図面）するようになる。
【００５１】
以上のように、本発明は、たとえ限定された実施形態と図面により説明したが、本明細書及び請求範囲に使われた用語や単語は通常的または辞典的な意味に限定して解釈されてはならず、本発明の技術的思想に符合する意味と概念として解釈されなければならない。したがって、本明細書に記載された実施形態と図面に図示された構成は本発明の実施形態に過ぎないものであり、本発明の技術的思想を全て代弁するものではないので、本発明の請求範囲から逸脱しない限度内で多様な均等物と変形例は本発明の権利範囲の内にあることを理解するべきである。
【符号の説明】
【００５２】
１０    バンド部
１２    Ｖ溝
１４    内面部
２０    内側連結装置
２１    支え台
２２    ストッパー
２４、２４’    挿入溝
２６、２６’    掛け金固定部
２７、２７’    固定溝
２８、２８’    内壁
３０    固定掛け金
３２、３２’    固定掛け金の両端
３４、３４’    固定掛け金の頂部
４０    バイザー部
５０    外側連結装置
５２    歯形固定部
５４、５４’    固定突起
５６、５８    ホール１、ホール２
６０    ギャップサイド連結装置
８０    キャップ連結装置カバー
８２、８４    突起１、突起２
１００    サンキャップ
【図１】
2015030962.tif 000003
【図２】
2015030962.tif 000004
【図３】
2015030962.tif 000005
【図４】
2015030962.tif 000006
【図５】
2015030962.tif 000007
【図６】
2015030962.tif 000008
【図７】
2015030962.tif 000009
【図８】
2015030962.tif 000010
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
バンド部（１０）と、
前記バンド部（１０）に付着されるものであって、前記バンド部（１０）の上で回転可能なバイザー部（４０）と、
前記バンド部（１０）と前記バイザー部（４０）とを連結するギャップサイド連結装置（６０）と、を含み、
前記ギャップサイド連結装置（６０）は、挿入溝（２４、２４’）を含む内側連結装置（２０）と固定突起（５４、５４’）を含む外側連結装置（５０）とを備え、
前記外側連結装置（５０）は前記バイザー部（４０）と一体形成され、前記内側連結装置（２０）は前記バンド部（１０）と一体形成され、
前記外側連結装置（５０）は前記内側連結装置（２０）と組み立てられて、前記外側連結装置（５０）は前記内側連結装置（２０）の上で回動され、また固定されることによって、前記バイザー部（４０）は前記バンド部（１０）の上で回動され、また固定され、
前記内側連結装置（２０）は、固定溝（２７、２７’）を備える掛け金固定部（２６、２６’）を含み、
前記内側連結装置（２０）は固定掛け金（３０）を含み、前記固定掛け金（３０）の両端（３２、３２’）は前記掛け金固定部（２６、２６’）の前記固定溝（２７、２７’）に固定され、
前記内側連結装置（２０）の前記固定掛け金（３０）はＭ字型のリップスプリングからなる掛け金であることを特徴とする、角度調整機能をするギャップサイド連結装置を有するサンキャップ。
【請求項２】
前記外側連結装置（５０）の前記固定突起（５４、５４’）は、前記内側連結装置（２０）の挿入溝（２４、２４’）に挿入されて回転されて、前記外側連結装置（５０）が前記内側連結装置（２０）の上で回動されるようになることによって、前記バイザー部（４０）が前記バンド部（１０）の上で回動されるようになることを特徴とする、請求項１に記載の角度調整機能をするギャップサイド連結装置を有するサンキャップ。
【請求項３】
バンド部（１０）と、
前記バンド部（１０）に付着されるものであって、前記バンド部（１０）の上で回転可能なバイザー部（４０）と、
前記バンド部（１０）と前記バイザー部（４０）とを連結するギャップサイド連結装置（６０）と、を含み、
前記ギャップサイド連結装置（６０）は、挿入溝（２４、２４’）を含む内側連結装置（２０）と固定突起（５４、５４’）を含む外側連結装置（５０）とを備え、
前記外側連結装置（５０）は前記バイザー部（４０）と一体形成され、前記内側連結装置（２０）は前記バンド部（１０）と一体形成され、
前記外側連結装置（５０）は前記内側連結装置（２０）と組み立てられて、前記外側連結装置（５０）は前記内側連結装置（２０）の上で回動され、また固定されることによって、前記バイザー部（４０）は前記バンド部（１０）の上で回動され、また固定され、
前記内側連結装置（２０）は、固定溝（２７、２７’）を備える掛け金固定部（２６、２６’）を含み、
前記内側連結装置（２０）は固定掛け金（３０）を含み、前記固定掛け金の両端（３２、３２’）は前記掛け金固定部（２６、２６’）の前記固定溝（２７、２７’）に固定され、
前記外側連結装置（５０）は円形となり、その円形の内部枠に歯形固定部（５２）が形成されており、前記バイザー部（４０）の回転時、前記歯形固定部（５２）は前記固定掛け金（３０）の上で回転し、前記バイザー部（４０）の停止時、前記固定掛け金（３０）は前記歯形固定部（５２）の歯と歯との間に固定されることを特徴とする、角度調整機能をするギャップサイド連結装置を有するサンキャップ。
【請求項４】
バンド部（１０）と、
前記バンド部（１０）に付着されるものであって、前記バンド部（１０）の上で回転可能なバイザー部（４０）と、
前記バンド部（１０）と前記バイザー部（４０）とを連結するギャップサイド連結装置（６０）と、を含み、
前記ギャップサイド連結装置（６０）は、挿入溝（２４、２４’）を含む内側連結装置（２０）と固定突起（５４、５４’）を含む外側連結装置（５０）とを備え、
前記外側連結装置（５０）は前記バイザー部（４０）と一体形成され、前記内側連結装置（２０）は前記バンド部（１０）と一体形成され、
前記外側連結装置（５０）は前記内側連結装置（２０）と組み立てられて、前記外側連結装置（５０）は前記内側連結装置（２０）の上で回動され、また固定されることによって、前記バイザー部（４０）は前記バンド部（１０）の上で回動され、また固定され、
前記バイザー部（４０）の前記外側連結装置（５０）の内側に形成された第１のホール（５６）、及び第２のホール（５８）と結合されるギャップサイド連結装置カバー（８０）の内側に形成された第１の突起（８２）、及び第２の突起（８４）をさらに含むことを特徴とする、角度調整機能をするギャップサイド連結装置を有するサンキャップ。
【請求項５】
バンド部（１０）と、
前記バンド部（１０）に付着されるものであって、前記バンド部（１０）の上で回転可能なバイザー部（４０）と、
前記バンド部（１０）と前記バイザー部（４０）とを連結するギャップサイド連結装置（６０）と、を含み、
前記ギャップサイド連結装置（６０）は、挿入溝（２４、２４’）を含む内側連結装置（２０）と固定突起（５４、５４’）を含む外側連結装置（５０）とを備え、
前記外側連結装置（５０）は前記バイザー部（４０）と一体形成され、前記内側連結装置（２０）は前記バンド部（１０）と一体形成され、
前記外側連結装置（５０）は前記内側連結装置（２０）と組み立てられて、前記外側連結装置（５０）は前記内側連結装置（２０）の上で回動され、また固定されることによって、前記バイザー部（４０）は前記バンド部（１０）の上で回動され、また固定され、
前記バイザー部（４０）と前記外側連結装置（５０）とが一体形成され、前記バンド部（１０）と前記内側連結装置（２０）とが一体形成されるために使われる材料として、ポリカーボネートを使用することを特徴とする、角度調整機能をするギャップサイド連結装置を有するサンキャップ。